(57)【特許請求の範囲】
【請求項１】
運転者（３）を撮影する車室内カメラ（２）から送信された画像データを受信し、受信した画像データを解析し、運転者（３）の心拍数を検出する画像処理部（１４）と、
車両に乗車した１人以上の人が所持する１以上のウエアラブル機器（４、６）と無線通信する無線通信部（１３）と、
前記１以上のウエアラブル機器（４、６）から送信された生体情報と、前記画像処理部（１４）により検出された運転者（３）の心拍数とを比較して、運転者（３）が所持するウエアラブル機器４を特定するウエアラブル機器特定部（１７）と、
を備え、
前記画像処理部（１４）は、受信した画像データを解析し、運転者（３）の感情を判定するように構成され、
前記ウエアラブル機器特定部（１７）は、前記１以上のウエアラブル機器（４、６）から送信された生体情報と、前記画像処理部（１４）により判定された運転者（３）の感情判定結果とを比較して、運転者（３）が所持するウエアラブル機器（４）を特定するように構成されている車載装置。
【請求項２】
前記ウエアラブル機器特定部（１７）により運転者（３）が所持するウエアラブル機器（４）が特定されたときに、運転者（３）の生体情報を利用して所定の処理を実行するアプリケーションプログラムを起動する起動部（１７）を備えた請求項１記載の車載装置。
【請求項３】
前記ウエアラブル機器特定部（１７）は、運転者（３）が所持するウエアラブル機器（４）を特定したときに、運転者（３）とウエアラブル機器（４）を紐付けて記憶部（１６）に登録するように構成されている請求項１または２記載の車載装置。
【請求項４】
前記ウエアラブル機器特定部（１７）は、運転者（３）が所持するウエアラブル機器（４）を特定したときに、運転者（３）とウエアラブル機器（４）を紐付けて記憶部（１６）に登録するように構成され、
前記１以上のウエアラブル機器（４、６）と通信し、前記１以上のウエアラブル機器（４、６）の中に運転者（３）と紐付けられたウエアラブル機器（４）があるか否かを判断する判断部（１７）を備え、
前記起動部（１７）は、運転者（３）と紐付けられたウエアラブル機器（４）があったときに、運転者（３）の生体情報を利用して所定の処理を実行するアプリケーションプログラムを起動するように構成されている請求項２記載の車載装置。
【請求項５】
前記ウエアラブル機器特定部（１７）は、運転者（３）が所持するウエアラブル機器（４）を特定したときに、運転者（３）とウエアラブル機器（４）を紐付けて記憶部（１６）に登録するように構成され、
前記１以上のウエアラブル機器（４、６）と通信し、前記１以上のウエアラブル機器（４、６）の中に運転者（３）と紐付けられたウエアラブル機器（４）があるか否かを判断する判断部（１７）と、
前記紐付けられた運転者（３）が運転席に座っているか否かを判断する運転席判断部（１７）とを備え、
前記起動部（１７）は、運転者（３）と紐付けられたウエアラブル機器（４）があり、更に、前記紐付けられた運転者（３）が運転席に座っているときに、運転者（３）の生体情報を利用して所定の処理を実行するアプリケーションプログラムを起動するように構成されている請求項２記載の車載装置。
【発明の詳細な説明】
【技術分野】
【０００１】
本発明は、車両に乗車した人が所持するウエアラブル機器と通信する車載装置に関する。
【背景技術】
【０００２】
車両には、複数の人が乗車可能であることから、複数のウエアラブル機器が車両内に持ち込まれる可能性があり、車両内に持ち込まれた複数のウエアラブル機器の中から運転者のウエアラブル機器を特定する技術が要請されている。
【０００３】
例えば特許文献１に記載された装置では、携帯端末（即ち、ウエアラブル機器に相当）内に操作者の顔画像を登録しておき、車載カメラで撮影した運転者の顔画像と、携帯端末内の顔画像とを比較し、一致した携帯端末が運転者の携帯端末であると判定している。
【０００４】
また、特許文献２に記載された装置では、車両の複数の座席位置と複数の携帯端末とを対応付けて記憶しておき、運転席に運転者が座ったときに、運転席の座席位置に対応付けられた携帯端末を運転者の携帯端末であると判定している。
【先行技術文献】
【特許文献】
【０００５】
【特許文献１】特開２０１１−１７２１９５号公報
【特許文献１】特開２０１４−４８６０号公報
【発明の概要】
【発明が解決しようとする課題】
【０００６】
しかし、通常のウェアラブル機器には、操作者の顔写真が登録されていないので、特許文献１の構成をウェアラブル機器との通信に用いることができない。また、特許文献２の構成の場合、運転席にいつもの運転者とは異なる別の人が座ったときには、座席位置と携帯端末との対応付けが変わるため、上記対応付けが更新されていないと、誤判定する可能性があった。
【０００７】
本発明の目的は、車両内に複数のウエアラブル機器が持ち込まれた場合に、運転者が所持するウエアラブル機器を判定することができる車載装置を提供することにある。
【課題を解決するための手段】
【０００８】
請求項１の発明は、運転者（３）を撮影する車室内カメラ（２）から送信された画像データを受信し、受信した画像データを解析し、運転者（３）の心拍数を検出する画像処理部（１４）と、車両に乗車した１人以上の人が所持する１以上のウエアラブル機器（４、６）と無線通信する無線通信部（１３）と、前記１以上のウエアラブル機器（４、６）から送信された生体情報と、前記画像処理部（１４）により検出された運転者（３）の心拍数とを比較して、運転者（３）が所持するウエアラブル機器４を特定するウエアラブル機器特定部（１７）とを備えたものである。また、この場合、前記画像処理部（１４）は、受信した画像データを解析し、運転者（３）の感情を判定するように構成され、前記ウエアラブル機器特定部（１７）は、前記１以上のウエアラブル機器（４、６）から送信された生体情報と、前記画像処理部（１４）により判定された運転者（３）の感情判定結果とを比較して、運転者（３）が所持するウエアラブル機器（４）を特定するように構成されている。
【図面の簡単な説明】
【０００９】
【図１】第１実施形態を示す車載システムのブロック図
【図２】ウエアラブル機器のブロック図
【図３】ウエアラブル機器接続制御のフローチャート
【図４】紐付け制御のフローチャート
【図５】ウエアラブル機器により検出した心拍数の変化を示す図
【図６】他のウエアラブル機器により検出した心拍数の変化を示す図
【図７】（ａ）は運転者の顔画像に基づいて検出した心拍数の変化を示す図、（ｂ）は運転者の顔画像に基づいて判定した感情の変化を示す図
【図８】紐付け処理時に表示部に表示される表示内容の例を示す図
【発明を実施するための形態】
【００１０】
（第１実施形態）
以下、第１実施形態について、図１ないし図８を参照して説明する。本実施形態の車載システム１は、図１に示すように、車室内カメラ２と、運転者３が所持しているウエアラブル機器４と、同乗者５が所持しているウエアラブル機器６と、車載装置７とを備えて構成されている。
【００１１】
車室内カメラ２は、運転席に座っている運転者３の顔を撮影するカメラであり、２Ｄカメラ（例えばＲＧＢカメラ）、または、３Ｄカメラ（例えば赤外線カメラ）、または、２Ｄカメラ及び３Ｄカメラ両方を備えたカメラで構成されている。車室内カメラ２により撮影された運転者３の画像データは、例えばＬＶＤＳ（Low Voltage Differential Signaling）等の映像伝送技術を用いて車載装置７へ送信される。
【００１２】
運転者３のウエアラブル機器４は、リストバンド型（時計を含む）や、眼鏡型や、衣類型等で構成されており、運転者３の身に付けられている。ウエアラブル機器４は、運転者３の例えば心拍数、体温、脈拍、血圧等の生体情報を検出するセンサを有し、検出した生体情報データを無線通信（例えばＢｌｕｅｔｏｏｔｈ（登録商標）の無線規格）で車載装置７へ送信する。尚、本実施形態では、上記Ｂｌｕｅｔｏｏｔｈの無線規格の中でも、例えばＢＬＥ（Bluetooth Low Energy）を用いることが好ましい。また、他の無線ＬＡＮ等の無線規格で通信しても良い。
【００１３】
ウエアラブル機器４は、図２に示すように、センサ部８と、記憶部９と、無線通信部１０と、制御部１１とを備えている。センサ部８は、心拍数センサ８ａ、体温センサ８ｂ、脈拍センサ８ｃ及び血圧センサ８ｄを有する。記憶部９は、ＲＡＭやＲＯＭやフラッシュメモリ等で構成されており、記憶部９には、ウエアラブル機器４の識別ＩＤ１２が記憶されていると共に、制御用の種々のデータやセンサ部８により検出した各種の生体情報データ等が一時的に記憶されている。無線通信部１０は、ＢＬＥの無線規格で車載装置７と無線通信する機能を有する。制御部１１は、ウエアラブル機器４全体を制御する機能を有する。
【００１４】
同乗者５としては、複数人が乗車可能であり、更に各同乗者５がウエアラブル機器６を所持可能であることから、ウエアラブル機器６は車両内に複数持ち込まれることがあり、複数のウエアラブル機器６は各別に車載装置７と無線通信可能な構成となっている。ウエアラブル機器６の具体的構成は、図２に示すウエアラブル機器４の構成とほぼ同じであり、各ウエアラブル機器４、６はそれぞれ互いに識別可能な固有の識別ＩＤ１２を有している。
【００１５】
車載装置７は、例えばカーナビゲーション装置で構成されており、無線通信部１３と、映像処理部１４と、表示部１５と、記憶部１６と、制御部１７とを備えている。この他に、車載装置７は、通常のカーナビゲーション装置として備えている各構成、具体的には、位置検出部、目的地入力部、経路計算部、経路案内部及び地図データ入力部（いずれも図示しない）等を備えている。
【００１６】
無線通信部１３は、車両内に持ち込まれた各ウエアラブル機器４、６と例えばＢＬＥの無線規格で各別に無線通信し、各ウエアラブル機器４、６のセンサ部８により検出した各種の生体情報データ等を受信する機能を有する。受信した各種の生体情報データ等は、各ウエアラブル機器４、６毎に、記憶部１６内に記憶して蓄積されるように構成されている。
【００１７】
映像処理部１４は、車室内カメラ２により撮影した運転者３の顔画像データを受信し、受信した運転者３の顔画像データを解析することにより、運転者３を個人特定したり、運転者３の感情判定を行なったり、運転者３の心拍数を検出したり、運転者３の視線を検出したりする機能を有する。映像処理部１４は、画像処理部の機能を有する。
【００１８】
この構成の場合、運転者３の顔画像データに基づいて運転者３を個人特定する処理は、生体認証処理の一種であり、予め、運転者３の顔を撮影し、撮影した顔画像の中の複数の特徴点、例えば輪郭、目、鼻及び口等について各形状や位置を解析し、解析した複数の特徴点の各形状や位置のデータを、運転者３のパーソナルデータとして、記憶部１６内に記憶しておく。そして、上記受信した運転者３の顔画像データに基づいて運転者３を個人特定する際には、受信した運転者３の顔画像データを解析し、上記複数の特徴点の各形状や位置のデータについて、記憶部１６内に記憶されているパーソナルデータと比較することにより、運転者３個人を特定することができる。尚、車室内カメラ２としては、２Ｄカメラを用いても良いし、３Ｄカメラ（即ち、赤外線カメラ）を用いると、顔の立体情報を解析して比較することができるので、個人特定の精度を向上させることができる。
【００１９】
また、運転者３の顔画像データに基づいて運転者３の感情を判定する処理については、特開２０１５−１６９９８０号公報に記載されている技術を適宜用いることが好ましい。この公報記載の技術により、運転者３の顔の中の例えば眉の動き、口の動き、頭の動き、目の動き等をとらえることによって、例えば「怒っている」、「怖がっている」、「楽しんでいる」、「悲しんでいる」、「驚いている」、「冷静」などの運転者３の感情を判定することができる。
【００２０】
また、運転者３の顔画像データに基づいて運転者３の心拍数を検出（即ち、把握）する処理については、例えばＸｂｏｘＯｎｅ  ｋｉｎｅｃｔ（商標登録）の技術を用いることが好ましい。この技術により、車室内カメラ２の２Ｄカメラと３Ｄカメラで運転者３の肌を撮影して、血液の流れによる微妙な変化に基づいて心拍数や脈拍数等を読み取ることができる。また、富士通（株）が開発した顔の画像に基づいてリアルタイムに脈拍数を計測する技術を適宜用いるように構成しても良い。
【００２１】
表示部１５は、例えば液晶ディスプレイ等で構成されており、種々のメッセージ、画像、地図、経路等が表示される。記憶部１６は、ＲＡＭやＲＯＭやフラッシュメモリ等で構成されており、運転者３のパーソナルデータ、車載装置７のデバイス情報、運転者３の顔画像データ、運転者３の生体情報データ、同乗者５の生体情報データ、各種のアプリケーションプログラム、種々の制御データ等が記憶されている。制御部１７は、車載装置７全体を制御する機能を有する。制御部１７は、ウエアラブル機器特定部、起動部、判断部、及び、運転席判断部の各機能を有する。
【００２２】
次に、上記構成の動作について、図３ないし図１０を参照して説明する。図３及び図４のフローチャートは、車載装置７の制御の内容を示す。まず、図３のステップＳ１０においては、ユーザによりイグニッションスイッチがオン（即ち、ＩＧＯＮ）される、または、アクセサリスイッチがオン（即ち、ＡＣＣＯＮ）される、または、ドアが開放（即ち、ドア開）されてＣＡＮ（Controller Area Network）通信によりウエイクアップ信号を受信すると、車載装置７の電源がオンされ、車載装置７が起動される。
【００２３】
続いて、ステップＳ２０へ進み、車載装置７は、車両内に持ち込まれたウエアラブル機器４、６と無線接続する。そして、ステップＳ３０へ進み、車載装置７の制御部１７は、無線接続したウエアラブル機器４、６の中に運転者３と紐付け済みのウエアラブル機器４があるか否かを判断する。尚、運転者３とウエアラブル機器４との紐付け処理については、後述する。
【００２４】
上記ステップＳ３０において、運転者３と紐付け済みのウエアラブル機器４があるときには（ＹＥＳ）、ステップＳ４０へ進み、車載装置７の制御部１７は、車室内カメラ２からの運転者の顔画像に基づいて、上記ウエアラブル機器４に紐付けられている人（即ち、運転者３）が運転席に座っているか否かを判断する。ここで、紐付けられている運転者３が運転席に座っているときには（ＹＥＳ）、ステップＳ５０へ進み、車載装置７は、運転者３のウエアラブル機器４から運転者３の例えば心拍数、体温、脈拍、血圧等の生体情報を取得し、記憶部１６内に記憶する。
【００２５】
次いで、ステップＳ６０へ進み、車載装置７の制御部１７は、運転者３の生体情報を利用して所定の処理を実行するアプリケーションプログラムを起動する。このアプリケーションプログラムとしては、例えば運転者３の心拍数等を使用して安全運転への注意喚起を促したりするアプリケーションプログラムを実行することが好ましい。これにより、本制御を終了する。また、上記ステップＳ４０において、ウエアラブル機器４に紐付けられている運転者３が運転席に座っていないときには、「ＮＯ」へ進み、上記アプリケーションプログラムを起動しないで、本制御を終了する。
【００２６】
また、上記ステップＳ３０において、運転者３と紐付け済みのウエアラブル機器４が無いときには（ＮＯ）、ステップＳ７０へ進み、運転者３とウエアラブル機器４とを紐付ける処理（即ち、制御）を実行する。
【００２７】
この運転者３とウエアラブル機器４との紐付け処理については、図４のフローチャートを参照して説明する。まず、図４のステップＳ１１０においては、車載装置７の無線通信部１３は、車両内の全てのウエアラブル機器４、６から、各ウエアラブル機器４、６を装着した人の例えば心拍数、体温、脈拍、血圧等の生体情報を取得し、記憶部１６内に記憶する。
【００２８】
続いて、ステップＳ１２０へ進み、車載装置７の映像処理部１４は、車室内カメラ２により運転者３の顔を撮影し、撮影した運転者３の顔画像を受信し、受信した運転者３の顔画像を解析することにより、運転者３の心拍数の情報や運転者３の感情判定の情報等を取得し、記憶部１６内に記憶する。
【００２９】
そして、ステップＳ１３０へ進み、車載装置７の制御部１７は、ウエアラブル機器４、６から取得した生体情報（例えば心拍数等）と、車室内カメラ２により撮影した顔画像から取得した生体情報（例えば心拍数数等）とが一致するか否かを判断する。この場合、例えば、ウエアラブル機器４から取得された心拍数の検出データが、図５に示すように変化し、ウエアラブル機器６から取得された心拍数の検出データが、図６に示すように変化したとする。尚、ウエアラブル機器４、５が心拍数のデータを検出する時間は、例えば１分ないし数分程度の長さの時間であり、この時間内に設定時間（例えば１秒、２秒または３秒等程度の時間）間隔で多数回検出するように構成されている。
【００３０】
これに対して、車室内カメラ２により撮影した顔画像（例えば１分ないし数分程度の時間、設定時間間隔で連続的に撮影した顔画像）から取得した心拍数のデータが、図７（ａ）に示すように変化したとする。図５、図６、図７（ａ）を比較すると、心拍数が所定の閾値Ａを越えている部分が存在するのは、図５と図７（ａ）であることから、図５と図７（ａ）は一致していると判定する。
【００３１】
また、車室内カメラ２により撮影した顔画像に基づいて取得された運転者３の感情判定の情報を、ウエアラブル機器４、６から取得した心拍数の情報と比較する場合には、次のようにして比較する。まず、車室内カメラ２により撮影した顔画像（例えば１分ないし数分程度の時間、設定時間（例えば１秒、２秒または３秒等程度の時間）間隔で連続的に撮影した顔画像）から取得した感情判定のデータが、図７（ｂ）に示すように変化したとする。この場合、図７（ｂ）において、「Ｃａｌｍ」と「Ａｎｇｅｒ」との境界をＢ１とし、「Ａｎｇｅｒ」と「Ｃａｌｍ」との境界をＢ２とする。また、車室内カメラ２により撮影した顔画像に基づいて取得された運転者３の心拍数の変化を示す図７（ａ）において、心拍数のグラフと閾値Ａの交点をＣ１、Ｃ２とすると、Ｂ１がＣ１にほぼ一致し、Ｂ２がＣ２にほぼ一致する関係がある。従って、図５、図６、図７（ｂ）を比較すると、心拍数が所定の閾値Ａを越えている部分、即ち、感情判定として「Ａｎｇｅｒ」の部分が存在するのは、図５と図７（ｂ）であることから、図５と図７（ｂ）は一致していると判定する。
【００３２】
さて、上記ステップＳ１３０において、生体情報が一致するウエアラブル機器４があったときには（ＹＥＳ）、ステップＳ１４０へ進み、車載装置７の制御部１７は、上記生体情報が一致したウエアラブル機器４を、運転者３のウエアラブル機器４として特定する。続いて、ステップＳ１５０へ進み、車載装置７の制御部１７は、上記特定したウエアラブル機器４と運転者３とを紐付ける処理を実行する。この場合、車室内カメラ２により撮影した顔画像の中の前記した複数の特徴点を解析し、解析した複数の特徴点の各形状や位置のデータを、運転者３のパーソナルデータとして、記憶部１６内に記憶する。そして、上記運転者３のパーソナルデータに、上記特定したウエアラブル機器４の識別ＩＤのデータを紐付けて（即ち、対応付けて）記憶部１６内に登録する。
【００３３】
続いて、ステップＳ１６０へ進み、車載装置７の制御部１７は、運転者３の生体情報を利用して所定の処理を実行するアプリケーションプログラムを起動する。このアプリケーションプログラムとしては、例えば運転者３の心拍数等を使用して安全運転への注意喚起を促したりするアプリケーションプログラムを実行することが好ましい。これにより、本制御を終了する。
【００３４】
また、上記ステップＳ１３０において、生体情報が一致するウエアラブル機器４が１つもなかったときには、「ＮＯ」へ進み、アプリケーションプログラムを起動しないで、本制御を終了する。
【００３５】
また、本実施形態においては、図４に示す運転者３とウエアラブル機器４との紐付け処理を実行開始するときに、車載装置７の制御部１７は、図８（ａ）に示すように、「ドライバ（即ち、運転者３）とウエアラブルデバイス（即ち、ウエアラブル機器４）の関連付け処理をしています。」というメッセージを表示部１５に表示する。そして、この後、上記紐付け処理が成功し、ステップＳ１５０の処理が完了すると、車載装置７の制御部１７は、図８（ｂ）に示すように、「ドライバとウエアラブルデバイスの関連付けが完了しました。アプリケーションを起動します。」というメッセージを表示部１５に表示する。尚、上記紐付け処理が失敗したとき、即ち、ステップＳ１３０の判断で、生体情報が一致するウエアラブル機器４が１つもなかったときには（ＮＯ）、車載装置７の制御部１７は、図８（ｃ）に示すように、「ドライバとウエアラブルデバイスの関連付けができませんでした。アプリケーションを終了します。」というメッセージを表示部１５に表示する。
【００３６】
このような構成の本実施形態においては、車載装置７の映像処理部１４によって、運転者３を撮影する車室内カメラ２から送信された画像データを受信し、受信した画像データを解析し、運転者３の心拍数を検出し、車載装置７の制御部１７によって、車両に乗車した１人以上の人が所持する１以上のウエアラブル機器４、６から送信された生体情報と、映像処理部１４により検出された運転者３の心拍数とを比較して、運転者３が所持するウエアラブル機器４を特定するように構成した。この構成によれば、車両内に複数のウエアラブル機器４、６が持ち込まれた場合に、運転者３が所持するウエアラブル機器４を正確に判定することができる。
【００３７】
そして、上記実施形態では、運転者３が所持するウエアラブル機器４を特定した後、運転者３とウエアラブル機器４とを紐付け、紐付けた情報（例えば運転者３のパーソナルデータ、個人特定情報及びウエアラブル機器４の識別ＩＤの情報等）を記憶部１６に登録し、更に、運転者３の生体情報を利用して所定の処理を実行するアプリケーションプログラムを起動するように構成した。この構成によれば、紐付けた情報の登録後は、紐付けた情報（例えばウエアラブル機器４の識別ＩＤ）に基づいて運転者３が所持するウエアラブル機器４を速やかに判定することができる。そして、上記アプリケーションプログラムが自動的に起動されるので、運転者３の生体情報を利用する所定の処理が自動的に実行されるようになる。
【００３８】
また、上記実施形態では、車両内に持ち込まれたウエアラブル機器４，６と無線接続し、その中に、運転者３と紐付けられたウエアラブル機器４があったときに、そのウエアラブル機器４に紐付けられた運転者３が運転席に座っているか否かを判断し、上記紐付けられた運転者３が運転席に座っているときに、運転者３の生体情報を利用して所定の処理を実行するアプリケーションプログラムを起動するように構成した。この構成によれば、車両内に複数のウエアラブル機器４、６が持ち込まれた場合に、運転者３が所持するウエアラブル機器４を正確且つ迅速に判定することができ、更に、運転者３の生体情報を利用して所定の処理を実行するアプリケーションプログラムを自動的に起動することができる。
【００３９】
尚、上記実施形態では、車室内カメラ２により撮影した運転者３の顔画像を、車室内カメラ２から車載装置７へ送信し、車載装置７側で運転者３の顔画像の解析を実行するように構成したが、これに限られるものではなく、車室内カメラ側において撮影した運転者３の顔画像の解析を実行し、解析結果の情報、即ち、運転者３の心拍数の情報や、運転者３の感情判定の情報や、運転者３のパーソナルデータの情報等を車載装置７へ送信するように構成しても良い。また、上記実施形態では、車載装置７を、例えばカーナビゲーション装置で構成したが、これに限られるものではなく、他の車載機器で構成しても良い。
【００４０】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００４１】
図面中、１は車載システム、２は車室内カメラ、４はウエアラブル機器、６はウエアラブル機器、７は車載装置、センサ部、１０は無線通信部、１２は識別ＩＤ、１３は無線通信部、１４は映像処理部（画像処理部）、１５は表示部、１６は記憶部、１７は制御部（ウエアラブル機器特定部、起動部、判断部、運転席判断部）である。
【図１】
0006665696.tif 000002
【図２】
0006665696.tif 000003
【図３】
0006665696.tif 000004
【図４】
0006665696.tif 000005
【図５】
0006665696.tif 000006
【図６】
0006665696.tif 000007
【図７】
0006665696.tif 000008
【図８】
0006665696.tif 000009